(57)【特許請求の範囲】
【請求項１】
前身頃部及び後身頃部を有し、着用者の腰部を覆う本体であって、前記前身頃部と前記後身頃部とにより胴回り開口が形成される本体と、
伸縮性を有する筒状の収納部であって、前記後身頃部の内面に沿って設けられる収納部と、
を備え、
前記収納部は、第１の端と、前記第１の端の反対側の端である第２の端を有し、
前記第１の端は、前記収納部の中心が前記後身頃部の中心に沿うように、前記胴回り開口近傍に取り付けられ、
前記第２の端は、前記着用者の陰茎及び陰嚢を前記収納部の内部へ挿入する開口部であり、
前記開口部は直径が変更可能に構成され、
前記収納部は、前記中心に沿った長さが、前記本体の高さ以下である
ことを特徴とするＬＧＢＴ用下着。
【請求項２】
紐部を更に備え、
前記収納部には、前記開口部の縁に沿って、前記紐部が挿通される筒状の紐通し部が延設され、
前記紐通し部の両端である２つの紐通し孔からは、前記紐部の両端がそれぞれ導出され、
前記２つの紐通し孔は、隣接しており、前記収納部を前記後身頃部の内面に沿って設けたときに前記後身頃部と対向する位置に設けられ、
前記陰茎及び前記陰嚢を前記収納部の内部へ挿入された状態で、前記紐部を引っぱって前記開口部を絞り、前記紐部を前記陰茎及び前記陰嚢の根元で縛ることで、前記収納部が前記着用者に固定される
ことを特徴とする請求項１に記載のＬＧＢＴ用下着。
【請求項３】
前記収納部は、前記第２の端の幅が前記第１の端の幅より狭くなるように形成される
ことを特徴とする請求項１又は２に記載のＬＧＢＴ用下着。
【請求項４】
前記収納部は、前記第２の端の幅が前記第１の端の幅より広くなるように形成される
ことを特徴とする請求項１又は２に記載のＬＧＢＴ用下着。
【請求項５】
前身頃部及び後身頃部を有し、着用者の腰部を覆う本体であって、前記前身頃部と前記後身頃部とにより胴回り開口が形成される本体と、
伸縮性を有する筒状の収納部であって、前記後身頃部の内面に沿って設けられる収納部と、
を備え、
前記収納部は、第１の端と、前記第１の端の反対側の端である第２の端を有し、
前記第１の端は、前記収納部の中心が前記後身頃部の中心に沿うように、前記胴回り開口近傍に取り付けられ、
前記第２の端は、前記着用者の陰茎及び陰嚢を前記収納部の内部へ挿入する開口部であり、
前記開口部は直径が変更可能に構成され、
前記収納部は、前記中心に沿った長さが、前記本体の高さ以下である
ことを特徴とするＬＧＢＴ用水着。
【発明の詳細な説明】
【技術分野】
【０００１】
本発明は、ＬＧＢＴ用下着及びＬＧＢＴ用水着に関する。
【背景技術】
【０００２】
特許文献１には、保持具本体と、腰紐と、股間部分を覆うためのカバーとを備えている男性用下着が開示されている。
特許文献２には、側面に陰茎及び陰嚢を挿入して内部に収納する挿入口が形成された筒型の男性用下着であって、伸縮性を有する布製の男性用下着が開示されている。
【先行技術文献】
【特許文献】
【０００３】
【特許文献１】実用新案登録第３１４３２８５号公報
【特許文献１】特許第５６８１３１２号公報
【発明の概要】
【発明が解決しようとする課題】
【０００４】
男性の外性器（陰茎、陰嚢等）を有するが、女性の洋服や水着を着用する着用者にとっては、男性の外性器が目立たないように着用することができる下着が望まれている。
【０００５】
しかしながら、特許文献１に記載の発明は、陰茎のみを保持するものであり、陰嚢を保持することができないという問題がある。したがって、男性の外性器を目立たなくするという課題を解決することはできない。また、特許文献２に記載の発明では、陰茎及び陰嚢を体の前面で保持するため、特許文献１に記載の発明と同様に、男性の外性器を目立たなくするという課題を解決することはできない。
【０００６】
本発明はこのような事情に鑑みてなされたもので、男性の外性器を目立たなくすることができるＬＧＢＴ用下着及びＬＧＢＴ用水着を提供することを目的とする。
【課題を解決するための手段】
【０００７】
上記課題を解決するために、本発明に係るＬＧＢＴ用下着は、例えば、前身頃部及び後身頃部を有し、着用者の腰部を覆う本体であって、前記前身頃部と前記後身頃部とにより胴回り開口が形成される本体と、伸縮性を有する筒状の収納部であって、前記後身頃部の内面に沿って設けられる収納部と、を備え、前記収納部は、第１の端と、前記第１の端の反対側の端である第２の端を有し、前記第１の端は、前記収納部の中心が前記後身頃部の中心に沿うように、前記胴回り開口近傍に取り付けられ、前記第２の端は、前記着用者の陰茎及び陰嚢を前記収納部の内部へ挿入する開口部であり、前記開口部は直径が変更可能に構成されることを特徴とする。
【０００８】
本発明に係るＬＧＢＴ用下着によれば、伸縮性を有する筒状の収納部は、中心が後身頃部の中心軸に沿うように、本体の後身頃部の内面に沿って設けられる。収納部の第１の端は、前身頃部と後身頃部とにより形成される胴回り開口近傍に取り付けられる。また、収納部の第１の端の反対側の端である第２の端は、着用者の外性器（陰茎及び陰嚢）を収納部へ挿入するための開口部であり、直径が変更可能に構成される。これにより、着用者が本体を股関節の辺りまで引き上げて、収納部を上方へ折り返して本体の外側に露出させることで、開口部から男性の外性器を収納部に挿入することができる。そして、開口部の直径を小さくして男性の外性器を収納部の内部に収納し、本体が腰部を覆うように本体を引き上げることで、収納部及び収納部に収納された男性の外性器は、収納部とともに後ろ側に引っぱられて股の下に押し付けられる。したがって、ＬＧＢＴ用下着の着用により、男性の外性器を目立たなくすることができる。
【０００９】
ここで、前記収納部は、前記中心軸に沿った長さが、前記本体の高さ以下でもよい。これにより、収納部に収納された男性の外性器が股の下に押し付けられ、男性の外性器を両脚の間に確実に隠すことができる。
【００１０】
ここで、紐部を更に備え、前記収納部には、前記開口部の縁に沿って、前記紐部が挿通される筒状の紐通し部が延設され、前記紐通し部の両端である２つの紐通し孔からは、前記紐部の両端がそれぞれ導出され、前記２つの紐通し孔は、隣接しており、前記収納部を前記後身頃部の内面に沿って設けたときに前記後身頃部と対向する位置に設けられ、前記陰茎及び前記陰嚢を前記収納部の内部へ挿入された状態で、前記紐部を引っぱって前記開口部を絞り、前記紐部を前記陰茎及び前記陰嚢の根元で縛ることで、前記収納部が前記着用者に固定されてもよい。このように構成することで、陰茎及び陰嚢を収納部の内部に挿入するときに、紐部が正面側に位置する。これにより、着用時に、着用者が紐部を視認可能であり、着用者が紐部を縛りやすい構成とすることができる。また、紐部が陰茎及び陰嚢の根元で縛られているため、本体を引き上げて収納部が後方に引き上げられるときに、開口部から陰茎及び陰嚢が出ないようにすることができる。
【００１１】
ここで、前記収納部は、前記第２の端の幅が前記第１の端の幅より狭くなるように形成されてもよい。したがって、女性ホルモン投与等により陰茎や陰嚢（睾丸）が萎縮した着用者に有効である。また、収納部が陰茎や陰嚢に密着するため、陰茎及び陰嚢をしっかり股の下に押し付けることができる。
【００１２】
ここで、前記収納部は、前記第２の端の幅が前記第１の端の幅より広くなるように形成されてもよい。したがって、女性ホルモンの投与をおこなっておらず、陰茎や陰嚢（睾丸）が萎縮していない着用者に有効である。また、女性ホルモン投与等により陰茎や陰嚢（睾丸）が萎縮した着用者にとっても、陰茎や陰嚢を収納部に挿入しやすくなる。
【００１３】
また、本発明に係るＬＧＢＴ用水着は、例えば、前身頃部及び後身頃部を有し、着用者の腰部を覆う本体であって、前記前身頃部と前記後身頃部とにより胴回り開口が形成される本体と、伸縮性を有する筒状の収納部であって、前記後身頃部の内面に沿って設けられる収納部と、を備え、前記収納部は、第１の端と、前記第１の端の反対側の端である第２の端を有し、前記第１の端は、前記収納部の中心が前記後身頃部の中心に沿うように、前記胴回り開口近傍に取り付けられ、前記第２の端は、前記着用者の陰茎及び陰嚢を前記収納部の内部へ挿入する開口部であり、前記開口部は直径が変更可能に構成されることを特徴とする。これにより、ＬＧＢＴ用水着の着用により、男性の外性器を目立たなくすることができる。
【発明の効果】
【００１４】
本発明によれば、男性の外性器を目立たなくすることができる。
【図面の簡単な説明】
【００１５】
【図１】本発明の一例であるＬＧＢＴ用下着１の概略を示す正面図の一例である。
【図２】ＬＧＢＴ用下着１の概略を示す背面図の一例である。
【図３】ＬＧＢＴ用下着１の概略を示す斜視図の一例である。
【図４】ＬＧＢＴ用下着１の概略を示す正面図の一例であり、筒状部２０が外側に露出するように上方へ折り返して表示した図である。
【図５】筒状部２０の詳細を示す図である。
【図６】ＬＧＢＴ用下着１の着用過程を説明する正面図である。
【図７】ＬＧＢＴ用下着１の着用過程を説明する側面図である。
【図８】着用者１００がＬＧＢＴ用下着１を装着した状態を模式的に示す図である。
【図９】本発明の一例であるＬＧＢＴ用下着２の概略を示す正面図の一例である。
【図１０】ＬＧＢＴ用下着２の概略を示す背面図の一例である。
【図１１】ＬＧＢＴ用下着２の概略を示す斜視図の一例である。
【図１２】ＬＧＢＴ用下着２の概略を示す正面図の一例であり、筒状部２０Ａが外側に露出するように上方へ折り返して表示した図である。
【図１３】筒状部２０Ａの詳細を示す図である。
【図１４】ＬＧＢＴ用下着２の着用過程を説明する正面図である。
【図１５】ＬＧＢＴ用下着２の着用過程を説明する側面図である。
【図１６】着用者１００がＬＧＢＴ用下着２を装着した状態を模式的に示す図である。
【図１７】本発明の一例であるＬＧＢＴ用下着３の概略を示す正面図の一例である。
【図１８】筒状部２０Ｂの詳細を示す図である。
【図１９】筒状部２０Ｂの詳細を示す図である。
【図２０】本発明の一例であるＬＧＢＴ用水着４の概略を示す正面図の一例である。
【発明を実施するための形態】
【００１６】
以下、本発明の実施形態を、図面を参照して詳細に説明する。
【００１７】
＜第１の実施の形態＞
図１は、本発明の一例であるＬＧＢＴ用下着１の概略を示す正面図の一例である。図２は、ＬＧＢＴ用下着１の概略を示す背面図の一例である。図３は、ＬＧＢＴ用下着１の概略を示す斜視図の一例である。図４は、ＬＧＢＴ用下着１の概略を示す正面図の一例であり、筒状部２０が外側に露出するように上方へ折り返して表示した図である。
【００１８】
ここで、ＬＧＢＴ（エル・ジー・ビー・ティー）とは、女性同性愛者（Ｌｅｓｂｉａｎ）、男性同性愛者（Ｇａｙ）、両性愛者（Ｂｉｓｅｘｕａｌ）、及び性同一性障害を含む性別越境者等（Ｔｒａｎｓｇｅｎｄｅｒ）の用語の頭文字から作られた言葉である。以下、ＬＧＢＴを、女性同性愛者、男性同性愛者、両性愛者、性同一性障害を含む性別越境者等のみでなく、出生時の外性器（身体）の性別とは反対の性自認を持つ人を示すトランスセクシュアル（Ｔｒａｎｓｓｅｘｕａｌｉｓｕｍ）等を含む用語として定義する。本実施の形態におけるＬＧＢＴ用下着１は、男性の外性器を有するが、女性の洋服を着用するＬＧＢＴに有用な下着である。
【００１９】
ＬＧＢＴ用下着１は、主として、本体１０と、筒状部２０と、を有する。ＬＧＢＴ用下着１は、着用者の腰部に密着してその腰部を覆う、脚部のない下着であって、全体として略逆三角形状である。なお、図１、図２及び図４では、本体１０を平面状にたたんだ状態、すなわち前身頃部１１と後身頃部１２とを広げて重ねた状態を示している。
【００２０】
本体１０は、いわゆる女性用のショーツ（パンツ）である。本体１０は、前身頃部１１と、後身頃部１２と、股部１３と、を有する。股部１３は、着用時に股と当接する部分に設けられる。なお、本体１０は、前身頃部１１や後身頃部１２に加えてわき身頃を更に有してもよい。また、本体１０は、前身頃部１１と後身頃部１２とを縫合して形成したが、前身頃部１１及び後身頃部１２が一体形成されていてもよい。また、股部１３は必須ではない。
【００２１】
前身頃部１１と後身頃部１２とによって胴回り開口１４が形成され、前身頃部１１と後身頃部１２と股部１３とによって、一対の脚回り開口１５が形成される。
【００２２】
胴回り開口１４は、伸縮性を有するウエストゴム部１４ａを有する。脚回り開口１５は、伸縮性を有する脚周りゴム部１５ａを有する。
【００２３】
なお、本実施の形態では、本体１０は、非伸縮性の生地を用いて形成されるが、伸縮性を有する生地で形成されてもよい。また、本実施の形態では、本体１０が略逆三角形状であるが、本体１０の形状はこれに限られない。例えば、着用者の腰部に密着してその腰部を覆うと部分とともに、脚の一部を覆う部分を有するいわゆるボクサータイプであってもよい。また、前身頃部１１や後身頃部１２を細くして、鼠蹊部や臀部等を露出させる形状としてもよい。また、前身頃部１１と後身頃部１２と連結するわき身頃を紐状の部材としてもよい。
【００２４】
本体１０において、着用者（図示せず）の肌に接触する面を内面と定義し、内面と反対側の面を外面と定義する。
【００２５】
筒状部２０は、その中心軸が本体１０の中心Ａに沿うように、後身頃部１２の内面に沿って設けられる。筒状部２０の一方の端（辺２１ｂ、後に詳述）は、後身頃部１２の中央近傍に設けられる。ここで、中央近傍とは、後身頃部１２の中央を含む一定範囲の領域である。
【００２６】
図５は、筒状部２０の詳細を示す図である。図５においては、本体１０について、ウエストゴム部１４ａの一部のみを表示し、その他の部分については図示を省略する。
【００２７】
筒状部２０は、主として、収納部２１と、紐部２２と、を有する。
収納部２１は、伸縮性を有する筒状の部材である。収納部２１は、略矩形形状の布の対向する２辺を縫い合わせて筒状に形成される。図４において、この対向する２辺を縫い合わせた部分を縫合部２１ａとする。収納部２１は、縦方向（中心Ａに沿った方向）、横方向のいずれに対しても伸縮性を有することが望ましい。
【００２８】
収納部２１は、図１、２に示すように、中心Ａに沿った長さＬ１が、本体１０の中心Ａに沿った高さＨよりも短い。ここで、高さＨとは、前身頃部１１と後身頃部１２とを重ねたときの、胴回り開口１４と股下先端１０ａとの間の距離である。ここで、股下先端１０ａとは、前身頃部１１と後身頃部１２とを重ねたときの股部１３（股部１３を有しない場合は、股部１３に相当する部分）の先端の位置である。
【００２９】
収納部２１の縫い合わされていない２辺のうちの一つの辺２１ｂは、胴回り開口１４の近傍に取り付けられる。本実施の形態では、胴回り開口１４の近傍とは、ウエストゴム部１４ａである。すなわち、収納部２１は、収納部２１の中心が中心Ａと略一致するように、ウエストゴム部１４ａに縫い付けられる。ここで、中心Ａとは、本体１０を平面状にたたんだ状態における、前身頃部１１及び後身頃部１２の中心線である。
【００３０】
辺２１ｂと対向する辺は、開口部２１ｃである。開口部２１ｃは、男性の外性器（ここでは、陰茎及び陰嚢）を収納部２１の内部に挿入するための孔である。
【００３１】
開口部２１ｃ近傍には、開口部２１ｃを絞る紐部２２が挿通される筒状の紐通し部２１ｄが形成される。本実施の形態では、収納部２１の辺２１ｂと反対側の先端を折り返して縫合して袋状にすることで、紐通し部２１ｄが開口部２１ｃの縁に沿って延設される。ここで、紐通し部２１ｄが開口部２１ｃの縁に沿っているとは、紐通し部２１ｄが開口部２１ｃに接している（図示された状態）場合に限られず、紐通し部２１ｄが開口部２１ｃに接していない場合も含むものとする。
【００３２】
紐通し部２１ｄに挿通される紐部２２には、伸縮性を有しない紐が用いられる。したがって、紐部２２を用いて開口部２１ｃを絞った場合に、開口部２１ｃが広がることは無い。
【００３３】
紐通し部２１ｄの両端は、２つの紐通し孔２１ｅである。２つの紐通し孔２１ｅは、隣接している。一方の紐通し孔２１ｅから紐通し部２１ｄの内部に紐部２２を挿入し、他方の紐通し孔２１ｅから紐通し部２１ｄの外側に紐部２２を出すと、紐部２２が紐通し部２１ｄに挿通され、２つの紐通し孔２１ｅから紐部２２の両端がそれぞれ導出される。紐部２２を引っぱって、紐通し部２１ｄすなわち開口部２１ｃを絞り、開口部２１ｃの直径を小さくする。このように、開口部２１ｃは、直径が変更可能に構成される。
【００３４】
筒状部２０は、筒状部２０を後身頃部１２の内面に沿って設けたときに前身頃部１１と対向する（図１、３等参照）ように、すなわち筒状部２０を上方へ折り返して外側に露出させたときに、紐通し孔２１ｅが裏面側（後身頃部１２側）に位置する（図４参照）ように、ウエストゴム部１４ａに取り付けられる。
【００３５】
次に、このように形成されたＬＧＢＴ用下着１の着用方法について説明する。図６は、ＬＧＢＴ用下着１の着用過程を説明する正面図である。図７は、ＬＧＢＴ用下着１の着用過程を説明する側面図である。図６、７において、２点鎖線は、ＬＧＢＴ用下着１を着用する着用者１００を模式的に示す。また、図６、７において、点線は、ＬＧＢＴ用下着１の着用者１００の背面に隠れている部分を示す。
【００３６】
まず、着用者１００が両脚１０１、１０２をそれぞれ脚回り開口１５に挿入し、本体１０を股関節の辺りまで引き上げる。そして、筒状部２０を上方へ折り返して本体１０の外側に露出させる。
【００３７】
次に、筒状部２０の先端である開口部２１ｃから、着用者１００の陰茎１０３及び陰嚢１０４を収納部２１の内部へ挿入する。その後、紐部２２を用いて、開口部２１ｃを締める（開口部２１ｃの直径を小さくする）。これにより、陰茎１０３及び陰嚢１０４（男性の外性器）が収納部２１の内部に収納される。また、このとき、開口部２１ｃは、陰茎１０３及び陰嚢１０４の根元（着用者１００側）に位置している。
【００３８】
その後、紐部２２を用いて開口部２１ｃを締めて、開口部２１ｃが広がらないように紐部２２を縛る。これにより、収納部２１が着用者１００に固定される。本実施の形態では、紐部２２が陰嚢１０４の裏側（後側）に位置する。
【００３９】
最後に、陰茎１０３及び陰嚢１０４が収納部２１の内部に収納された状態で、胴回り開口１４がウエストの位置に、脚回り開口１５が鼠径部の位置にくるように、本体１０を引き上げる（図６矢印参照）。これにより、本体１０が腰部を覆い、ＬＧＢＴ用下着１が着用者１００に着用される。本体１０が引き上げられるとともに収納部２１が後方に引き上げられるが、紐部２２が陰茎１０３及び陰嚢１０４の根元で縛られているため、開口部２１ｃから陰茎１０３及び陰嚢１０４が出ない。
【００４０】
図８は、着用者１００がＬＧＢＴ用下着１を着用した状態を模式的に示す図である。図８は、着用者１００が図８における左向きに立った状態において、着用者１００を略中央で断面表示したものである。図８においても、図６、７と同様に、着用者１００を２点鎖線で模式的に示す。
【００４１】
陰茎１０３及び陰嚢１０４が収納部２１の内部に収納された状態で、本体１０を引き上げるため、陰茎１０３及び陰嚢１０４は、着用者１００の股の下で、後方（図８における右側、図８白抜き矢印参照）に引き上げられる。筒状部２０の中心Ａに沿った長さＬ１が、本体１０の中心Ａに沿った高さＨよりも短い（図１、２参照）ため、陰茎１０３及び陰嚢１０４は、収納部２１により着用者１００の股の下に押し付けられる。これにより、陰茎１０３及び陰嚢１０４を両脚の間に確実に隠すことができる。
【００４２】
なお、収納部２１は本体１０により覆われるため、収納部２１が外部から視認されることはない。また、紐通し孔２１ｅ及び紐部２２は陰茎１０３及び陰嚢１０４の裏側に位置するため、紐部２２が外部から視認されることはない。
【００４３】
このように、着用者１００がＬＧＢＴ用下着１を装着した状態では、着用者１００を正面及び側面から見たときに、陰茎１０３及び陰嚢１０４による凸形状が視認されない。
【００４４】
本実施の形態によれば、ＬＧＢＴ用下着１を装着した着用者の正面から見たときに、陰茎及び陰嚢による凸形状が視認されないため、ＬＧＢＴ用下着１の着用により男性の外性器を目立たくすることができる。したがって、男性の外性器を有する着用者がＬＧＢＴ用下着１を装着すれば、女性用の洋服、特にタイトスカートや細身のズボン等をごく自然な感じで着用することができる。
【００４５】
＜第２の実施の形態＞
本発明の第２の実施の形態は、第１の実施の形態にかかるＬＧＢＴ用下着１に対して、着用のしやすさを重視した形態である。以下、第２の実施の形態にかかるＬＧＢＴ用下着２について説明する。なお、第１の実施の形態と同一の部分については、同一の符号を付し、詳細な説明を省略する。
【００４６】
図９は、本発明の一例であるＬＧＢＴ用下着２の概略を示す正面図の一例である。図１０は、ＬＧＢＴ用下着２の概略を示す背面図の一例である。図１１は、ＬＧＢＴ用下着２の概略を示す斜視図の一例である。図１２は、ＬＧＢＴ用下着１の概略を示す正面図の一例であり、筒状部２０が外側に露出するように上方へ折り返して表示した図である。
【００４７】
ＬＧＢＴ用下着２は、主として、本体１０と、筒状部２０Ａと、を有する。筒状部２０と筒状部２０Ａとの主な差異は、収納部２１Ａの形状及び長さと、紐通し孔２１ｅの位置と、である。以下、筒状部２０と筒状部２０Ａとの主な差異について詳しく説明する。
【００４８】
筒状部２０Ａは、主として、収納部２１Ａと、紐部２２と、を有する。
収納部２１Ａは、収納部２１と同様、中心軸が本体１０の中心Ａに沿うように後身頃部１２の内面に沿って設けられる。図９、１０に示すように、収納部２１Ａを後身頃部１２の内面に沿って設け、前身頃部１１と後身頃部１２とを重ねたときに、開口部２１ｃは股下先端１０ａ近傍に位置する。ここで、股下先端１０ａ近傍とは、股下先端１０ａと同じ位置に限らず、股下先端１０ａに対して数センチ程度の誤差を含む概念である。
【００４９】
ＬＧＢＴ用下着２は、収納部２１Ａの中心Ａに沿った長さＬ２が、本体１０の中心Ａに沿った高さＨと略同一であるため、着用が容易である（後に詳述）。ただし、長さＬ２は、高さＨ以下とすることが望ましく、高さＨより長くすべきではない。
【００５０】
図１３は、筒状部２０Ａの詳細を示す図である。図１３においては、本体１０について、ウエストゴム部１４ａの一部のみを表示し、その他の部分については図示を省略する。
【００５１】
収納部２１Ａは、収納部２１と同様、伸縮性を有する筒状の部材であり、略矩形形状の布の対向する２辺を縫い合わせて筒状に形成される。この対向する２辺を縫い合わせた縫合部２１ａが、後身頃部１２と対向するよう（図９〜１１等参照）に、辺２１ｂがウエストゴム部１４ａに縫い付けられる。図１３においては、後身頃部１２が紙面奥側に位置するため、縫合部２１ａは図中下側に位置する。
【００５２】
紐通し部２１ｄは開口部２１ｃの縁に沿って延設される。紐通し部２１ｄの両端である２つの紐通し孔２１ｅは、隣接しており、筒状部２０Ａを後身頃部１２の内面に沿って設けたときに後身頃部１２と対向する位置に設けられる。
【００５３】
その結果、図１２に示すように、筒状部２０Ａを上方へ折り返して、筒状部２０Ａを本体１０の外側に露出させると、縫合部２１ａ及び紐通し孔２１ｅ（図１２では図示省略）が正面側（前身頃部１１側）に位置する。
【００５４】
収納部２１Ａは、図１２に示すように、開口部２１ｃの幅ｗ１が辺２１ｂの幅ｗ２より狭くなるように形成される。言い換えると、収納部２１Ａは、根元（辺２１ｂ）より先端（開口部２１ｃ）が細くなっている。本実施の形態では、幅ｗ２が略９０ｍｍであり、幅ｗ１が略８０〜８５ｍｍである。
【００５５】
次に、このように形成されたＬＧＢＴ用下着２の着用方法について説明する。図１４は、ＬＧＢＴ用下着２の着用過程を説明する正面図である。図１５は、ＬＧＢＴ用下着２の着用過程を説明する側面図である。図１６は、着用者１００がＬＧＢＴ用下着２を着用した状態を模式的に示す図であり、着用者１００が図１４における左向きに立った状態において、着用者１００を略中央で断面表示したものである。図１４〜１６において、２点鎖線は、ＬＧＢＴ用下着２を着用する着用者１００を模式的に示す。また、図１４〜１６において、点線は、ＬＧＢＴ用下着２の着用者１００の背面に隠れている部分を示す。
【００５６】
まず、着用者１００が両脚１０１、１０２をそれぞれ脚回り開口１５に挿入し、本体１０を股関節の辺りまで引き上げる。そして、筒状部２０Ａを上方へ折り返して本体１０の外側に露出させる。次に、収納部２１Ａの先端である開口部２１ｃから、着用者１００の陰茎１０３及び陰嚢１０４を収納部２１Ａの内部へ挿入する。
【００５７】
本実施の形態においては、筒状部２０Ａを後身頃部１２の内面に沿って設け、前身頃部１１と後身頃部１２とを重ねたときに、開口部２１ｃが股下先端１０ａ近傍に位置する。つまり、筒状部２０Ａの長さＬ２は、筒状部２０の長さＬ１よりも長い。したがって、着用者１００が、陰茎１０３及び陰嚢１０４を収納部２１Ａの内部に挿入しやすい構成となっている。
【００５８】
その後、紐部２２を用いて開口部２１ｃを締めて、陰茎１０３及び陰嚢１０４を収納部２１Ａの内部に収納してから、紐部２２を縛る。本実施の形態では、筒状部２０Ａを上方へ折り返したときに縫合部２１ａ及び紐通し孔２１ｅ（図１４では図示省略）が正面側に位置する（図１４参照）ため、陰茎１０３及び陰嚢１０４を収納部２１Ａの内部に挿入したときに、紐部２２が正面側（陰茎１０３の上側）に位置する。したがって、着用時に着用者１００が紐部２２を視認可能であり、また、着用者１００が紐部２２を縛りやすい構成となっている。
【００５９】
最後に、陰茎１０３及び陰嚢１０４が収納部２１Ａの内部に収納された状態で、胴回り開口１４がウエストの位置に、脚回り開口１５が鼠径部の位置にくるように、本体１０を引き上げる（図１４、１５矢印参照）。これにより、本体１０が着用者１００の腰部を覆い、ＬＧＢＴ用下着２が着用者１００に着用される。
【００６０】
ＬＧＢＴ用下着２が着用者１００に着用された状態（図１６参照）では、陰茎１０３及び陰嚢１０４は、着用者１００の股の下で、後ろ側（図１６における右側）に引き上げられる。収納部２１Ａの長さＬ２が本体１０の高さＨ以下である（図９、１０参照）ため、ＬＧＢＴ用下着２を着用した状態では、陰茎１０３及び陰嚢１０４が股の下に押し付けられ、陰茎１０３及び陰嚢１０４を両脚の間に確実に隠すことができる。
【００６１】
なお、収納部２１Ａは本体１０により覆われるため、収納部２１Ａが外部から視認されることはない。紐部２２は収納部２１Ａと前身頃部１１との間に位置するが、紐部２２は細いため、前身頃部１１により覆われ、紐部２２が外部から視認されることはない。
【００６２】
このように、着用者１００がＬＧＢＴ用下着２を装着した状態では、着用者１００を正面及び側面から見たときに、陰茎１０３及び陰嚢１０４による凸形状が視認されない。
【００６３】
本実施の形態によれば、ＬＧＢＴ用下着２の着用により男性の外性器を目立たくすることができる。また、着用者が着用しやすいＬＧＢＴ用下着２を提供することができる。
【００６４】
特に、本実施の形態のＬＧＢＴ用下着２は、収納部２１Ａの先端が根元より細くなっている。したがって、女性ホルモン投与等により陰茎や陰嚢（睾丸）が萎縮した着用者に有効である。また、収納部２１Ａの先端が根元より細いため、収納部２１Ａが陰茎や陰嚢に密着し、陰茎１０３及び陰嚢１０４をしっかり股の下に固定することができる。
【００６５】
＜第３の実施の形態＞
本発明の第３の実施の形態は、第１の実施の形態にかかるＬＧＢＴ用下着１及び第２の実施の形態にかかるＬＧＢＴ用下着２に対して、更に着用しやすくした形態である。以下、第３の実施の形態にかかるＬＧＢＴ用下着３について説明する。第１の実施の形態又は第２の実施の形態と同一の部分については、同一の符号を付し、詳細な説明を省略する。
【００６６】
図１７は、本発明の一例であるＬＧＢＴ用下着３の概略を示す正面図の一例である。ＬＧＢＴ用下着３は、主として、本体１０と、筒状部２０Ｂと、を有する。
【００６７】
図１８、１９は、筒状部２０Ｂの詳細を示す図である。図１８、１９においては、本体１０について、ウエストゴム部１４ａの一部のみを表示し、その他の部分については図示を省略する。
【００６８】
筒状部２０Ｂは、主として、収納部２１Ｂと、紐部２２（図１９では図示省略）と、を有する。ＬＧＢＴ用下着２と、ＬＧＢＴ用下着３とは、収納部２１Ａ、２１Ｂの形状のみが異なり、その他は同一である。以下、収納部２１Ｂについて説明する。
【００６９】
収納部２１Ｂは、図１９に示すように、開口部２１ｃの幅ｗ４が辺２１ｂの幅ｗ３より広くなるように形成される。言い換えると、収納部２１Ｂは、根元（辺２１ｂ）より先端（開口部２１ｃ）が広くなっている。本実施の形態では、幅ｗ４が略１００ｍｍ〜１１０ｍｍであり、幅ｗ３が略７０〜９０ｍｍである。長さＬ２が略１９０ｍｍとすると、収納部２１Ｂの勾配θは略５度前後である。
【００７０】
ＬＧＢＴ用下着３の着用方法は、ＬＧＢＴ用下着２の着用方法と同じである。ただし、ＬＧＢＴ用下着３は、収納部２１Ｂの根元より先端が広いため、陰茎１０３及び陰嚢１０４を収納部２１Ｂの内部に挿入しやすい。また、陰茎１０３及び陰嚢１０４の大きさが大きい場合にも、陰茎１０３及び陰嚢１０４を収納部２１Ｂの内部に挿入することができる。なお、紐部２２を用いて開口部２１ｃを絞ることができるため、収納部２１Ｂの根元より先端を広げたとしても、ＬＧＢＴ用下着３を着用した時に不具合は生じない。
【００７１】
本実施の形態によれば、着用者が着用しやすく、着用者の男性の外性器が目立たないＬＧＢＴ用下着３を提供することができる。
【００７２】
特に、本実施の形態のＬＧＢＴ用下着３は、収納部２１Ａの先端が根元より広くなっている。したがって、女性ホルモンの投与をおこなっておらず、陰茎や陰嚢（睾丸）が萎縮していない着用者に有効である。また、女性ホルモン投与等により陰茎や陰嚢（睾丸）が萎縮した着用者にとっても、陰茎や陰嚢を収納部２１Ａに挿入しやすいという効果がある。
【００７３】
なお、上記第１〜３の実施の形態では、下着にこの発明を適用した例であるＬＧＢＴ用下着１〜３を示したが、この発明は下着のみでなく、水着、レオタード等にも適用することができる。
【００７４】
図２０は、本発明の一例であるＬＧＢＴ用水着４の概略を示す正面図の一例である。ＬＧＢＴ用水着４は、上半身用と下半身用とが別々になったいわゆるセパレートタイプの水着であり、着用者の上半身の一部を覆う上半身部４Ａと、着用者の腰部を覆う下半身部４Ｂとを有する。この下半身部４Ｂは、ＬＧＢＴ用下着２である。その結果、男性の外性器を有する着用者がＬＧＢＴ用水着４を着用することで、男性の外性器を目立たくすることができる。
【００７５】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【００７６】
また、本発明において、「略」とは、厳密に同一である場合のみでなく、同一性を失わない程度の誤差や変形を含む概念である。例えば、「略三角形状」とは、厳密に三角形状の場合には限られない。また、例えば、単に略中央等と表現する場合において、厳密に中央等の場合のみでなく、略中央等の場合を含むものとする。また、本発明において「近傍」とは、例えばＡの近傍であるときに、Ａの近くであって、Ａを含んでもいても含んでいなくてもよいことを示す概念である。
【符号の説明】
【００７７】
１、２、３：ＬＧＢＴ用下着
４        ：ＬＧＢＴ用水着
１０      ：本体
１０ａ    ：股下位置
１１      ：前身頃部
１２      ：後身頃部
１３      ：股部
１４      ：胴回り開口
１４ａ    ：ウエストゴム部
１５      ：脚回り開口
１５ａ    ：脚周りゴム部
２０、２０Ａ、２０Ｂ：筒状部
２１、２１Ａ、２１Ｂ：収納部
２１ａ    ：縫合部
２１ｂ    ：辺
２１ｃ    ：開口部
２１ｄ    ：紐通し部
２１ｅ    ：紐通し孔
２２      ：紐部
１００    ：着用者
１０１、１０２：脚
１０３    ：陰茎
１０４    ：陰嚢
【図１】
0006764682.tif 000002
【図２】
0006764682.tif 000003
【図３】
0006764682.tif 000004
【図４】
0006764682.tif 000005
【図５】
0006764682.tif 000006
【図６】
0006764682.tif 000007
【図７】
0006764682.tif 000008
【図８】
0006764682.tif 000009
【図９】
0006764682.tif 000010
【図１０】
0006764682.tif 000011
【図１１】
0006764682.tif 000012
【図１２】
0006764682.tif 000013
【図１３】
0006764682.tif 000014
【図１４】
0006764682.tif 000015
【図１５】
0006764682.tif 000016
【図１６】
0006764682.tif 000017
【図１７】
0006764682.tif 000018
【図１８】
0006764682.tif 000019
【図１９】
0006764682.tif 000020
【図２０】
0006764682.tif 000021